(57)【要約】【課題】袋の構造によりチャイルドレジスタンス機能を発揮する樹脂袋の提供を図る。【解決手段】前後の外シート１３と１４を備えた袋本体１１と、その袋本体１１から収納物を出し入れする開口部１５を備えた樹脂袋であり、袋本体１１の内部に隠し袋２１を備えろ。隠し袋２１は、外シート１３、１４の間に配置された少なくとも１枚の内シート２２と、袋本体１１の内部にて開閉可能な内部開口２５とを備え、内部開口２５から隠し袋２１内の収納物を出し入れすることができる。隠し袋２１は、内部開口２５を含む位置にて袋本体１１と一体化されている。【選択図】図１
2019048650.tif 000002
【特許請求の範囲】
【請求項１】
厚み方向に重ねて配置された前後の外シートを備えた袋本体と、前記袋本体から収納物を出し入れする開口部を備え、少なくとも一層の合成樹脂フィルムを含む合成樹脂シートによって前記外シートが構成された樹脂袋において、
前記袋本体の内部に隠し袋を備え、
前記隠し袋は、前記外シートに対して厚み方向に重ねて配置された少なくとも１枚の内シートと、前記袋本体の内部にて開閉可能な内部開口とを備え、前記内部開口から前記隠し袋内の収納物を出し入れすることができると共に、少なくとも前記内部開口を含む位置にて前記袋本体と一体化されていることを特徴とするチャイルドレジスタンス樹脂袋。
【請求項２】
前記隠し袋の前記内部開口は、凹凸条の嵌合により開閉可能な樹脂製のチャックを備え、
前記隠し袋の前記内部開口と前記袋本体の前記開口部との間の間隔が、親指を用いて前記チャックを開く場合に、大人では開くことができる一方、子供が親指だけを前記開口部から前記袋本体内へ挿入しても前記内部開口の前記チャックに直接接触しない長さに設定されたことを特徴とする請求項１に記載のチャイルドレジスタンス樹脂袋。
【請求項３】
前記開口部を開いた状態で見える前記隠し袋の色と、前記隠し袋が一体化された前記外シートの色とは、少なくとも前記内部開口近傍において、同じ可視色であることを特徴とする請求項１又は２に記載のチャイルドレジスタンス樹脂袋。
【請求項４】
前記隠し袋は、前記外シートとは別の２枚の前記内シートによって構成されるものであるか、又は、１枚の前記外シートと前記１枚の内シートとによって構成されるものであることを特徴とする請求項１〜３の何かに記載のチャイルドレジスタンス樹脂袋。
【請求項５】
前記袋本体の前記外シートに挿入部を備え、前記挿入部は前記隠し袋の前記内部開口の近傍に位置しており、前記挿入部から前記袋本体内部に指を挿入して前記内部開口を開く操作を行うことができるように構成されたことを特徴とする請求項１〜４の何かに記載のチャイルドレジスタンス樹脂袋。
【請求項６】
前記袋本体の外側に前記挿入部を覆う不透明のカバーシートを備えた特徴とする請求項１〜５の何かにチャイルドレジスタンス樹脂袋。
【請求項７】
厚み方向に重ねて配置された前外シートと後外シートを備えた袋本体と、前記袋本体から収納物を出し入れする開口部を備えた樹脂袋において、
前記袋本体の内部に隠し袋を備え、
前記隠し袋は、前記外シートに対して厚み方向に重ねて配置された少なくとも１枚の内シートと、前記袋本体の内部にて開閉可能な内部開口とを備え、前記内部開口から前記隠し袋内の収納物を出し入れすることができると共に、少なくとも前記内部開口を含む位置にて前記袋本体と一体化されており、
前記隠し袋は、前記外シートとは別の２枚の前記内シートによって構成されるものであるか、又は、１枚の前記外シートと前記１枚の内シートとによって構成されるものであり、
前記開口部と前記内部開口とは共に横方向に平行に伸びるものであり、
前記開口部と前記内部開口は、それぞれ、凹凸条の嵌合により開閉可能な樹脂製のチャックを備え、
前記外シートと前記内シートは、少なくとも一層の合成樹脂フィルムを含む不透明な合成樹脂シートによって構成されると共に、全て同じ横幅を備え、且つ、同じ袋サイドシールでシールされており、
前記隠し袋の前記内部開口と前記袋本体の前記開口部との間の間隔が、親指を用いて前記チャックを開く場合に、大人では開くことができる一方、子供が親指だけを前記開口部から前記袋本体内へ挿入しても前記内部開口の前記チャックに直接接触しない長さに設定され、
加えて、
前記隠し袋は、長短構成と易密着構成とのうち少なくとも何れか一方の構成を備え、
前記長短構成は、前記隠し袋が前記外シートとは別の２枚の前内シートと後内シートとによって構成され、前記前内シートの上部と一方の前記外シートとが一体化シールによって一体化され、前記一体化シールの下端辺に沿って前記後内シートの上端辺が配置された構成であり、
前記易密着構成は、前記隠し袋の内部開口の上端を含む領域のシート同士の密着性が、前記隠し袋と前記後外シートとの間の空間であるダミー部のシート同士の密着性よりも高くされた構成であることを特徴とするチャイルドレジスタンス樹脂袋。
【請求項８】
前記隠し袋の前記内部開口と前記袋本体の前記開口部との間の前記間隔が５０ｍｍ以上６５ｍｍ以下であることを特徴とする請求項２又は７に記載のチャイルドレジスタンス樹脂袋。
【発明の詳細な説明】
【技術分野】
【０００１】
本発明は、少なくとも一層の合成樹脂フィルムを含む外シートによって袋本体が構成され、前記袋本体が内容物を出し入れする開口部を備えた樹脂袋の改良に関するものである。特に、幼児などが収納物に対して不用意にアクセスすることによって生ずることがある事故の発生を抑制するためのチャイルドレジスタンス機能を付加した樹脂袋に関するものである。
【背景技術】
【０００２】
今日、大人の利便性のみならず子供への安全性をも考慮したチャイルドレジスタンス機能が種々の物品に対して求められている。
少なくとも一層の合成樹脂フィルムを含む合成樹脂シートによって袋本体が構成された樹脂袋の分野においても、袋の収納物に対して十分な知識や能力を備える者（以下これらの者を総称して、大人と言う）が用いる袋について、袋の収納物に対して十分な知識や能力を備えない者（以下これらの者を総称して、子供と言う）が、不用意にアクセスすることによって生ずることがある事故の発生を抑制することが求められている。
【０００３】
特許文献1及び2にあっては、凹凸条の嵌合により開閉可能な樹脂製のチャックを備えた樹脂袋について、チャイルドレジスタンス機能を付加することが提案されている。ところがこれらの提案にあっては、樹脂製のチャックへの子供のアクセスを困難にするものであり、子供が収納物や収納部分の存在を発見することを困難にするという発想や手段が示されたものではなかった。
【０００４】
他方、特許文献3〜5にあっては、複数の収納部を一つの袋に設けた樹脂製袋が提案されているが、これらの提案にあっては、保温効果や印刷スペースの拡大などのチャイルドレジスタンス機能以外の機能を目的とするものであり、子供が収納物や収納部分の存在を発見することを困難にしたり、その存在を発見しても開封を困難にするという発想や手段が示されたものではなかった。
【０００５】
さらに樹脂袋とは異なる手提げ袋などの袋物の分野に目を転じると、特許文献6及び7に示されるように、袋物の内部に内ポケットを設けたものや袋物の内部を二分割するものが古くから知られているが、チャイルドレジスタンス機能以外の機能を目的とするものでしかなかった。
【先行技術文献】
【特許文献】
【０００６】
【特許文献１】特開2016-88531号公報
【特許文献２】特開2016-98036号公報
【特許文献３】特開2005-342280号公報
【特許文献４】特開2016-88531号公報
【特許文献５】特表2002-503187号公報
【特許文献６】登録実用新案第3137145号公報
【特許文献７】登録実用新案第3038588号公報
【発明の概要】
【発明が解決しようとする課題】
【０００７】
本発明は、袋の構造によりチャイルドレジスタンス機能を発揮する樹脂袋の提供を図ることにある。
【課題を解決するための手段】
【０００８】
本発明は、厚み方向に重ねて配置された前後の外シートを備えた袋本体と、前記袋本体から収納物を出し入れする開口部を備え、少なくとも一層の合成樹脂フィルムを含む合成樹脂シートによって前記外シートが構成された樹脂袋において、チャイルドレジスタンス機能を発揮する構造を提供する。
【０００９】
本発明の樹脂袋は、前記袋本体の内部に隠し袋を備える。前記隠し袋は、前記外シートに対して厚み方向に重ねて配置された少なくとも１枚の内シートと、前記袋本体の内部にて開閉可能な内部開口とを備え、前記内部開口から前記隠し袋内の収納物を出し入れすることができると共に、少なくとも前記内部開口を含む位置にて前記袋本体と一体化されていることを特徴とする。
【００１０】
チャイルドレジスタンス機能を高める構成の一つとして、前記隠し袋の前記内部開口と前記袋本体の前記開口部との間の間隔が、親指を用いて前記チャックを開く場合に、大人では開くことができる一方、子供が親指だけを前記開口部から前記袋本体内へ挿入しても前記内部開口の前記チャックに直接接触しない長さに設定する構造を示すことができる。具体的には、前記の間隔が５０ｍｍ以上６５ｍｍ以下とする構造を示すことができる。
【００１１】
他の構成として、前記開口部を開いた状態で見える前記隠し袋の色と、前記隠し袋が一体化された前記外シートの色とは、少なくとも前記内部開口近傍において、同じ可視色とする構造を示すことができる。
【００１２】
さらに他の構成として、前記隠し袋が前記外シートとは別の２枚の前内シートと後内シートとによって構成され、前記前内シートの上部と一方の前記外シートとが一体化シールによって一体化され、前記一体化シールの下端辺に沿って前記後内シートの上端辺が配置された構造を示すことができる。
【００１３】
またさらに他の構成として、前記隠し袋の内部開口の上端を含む領域のシート同士の密着性が、前記隠し袋と前記後外シートとの間の空間であるダミー部のシート同士の密着性よりも高くされた構造を示すことができる。
【００１４】
前記隠し袋は、前記外シートとは別の２枚の前記内シートによって構成さ香芝れるものであっても構わないし、１枚の前記外シートと前記１枚の内シートとによって構成されるものであっても構わない。
【００１５】
他方、前記隠し袋内に収入した収納物の出し入れが著しく困難になることを防ぐために、前記袋本体の前記外シートに挿入部を備え、前記挿入部は前記隠し袋の前記内部開口の近傍に位置しており、前記挿入部から前記袋本体内部に指を挿入して前記内部開口を開く操作を行うことができるように構成することもできる。
【００１６】
その際、前記挿入部が簡単に見つかってしまわないようにするために、前記袋本体の外側に前記挿入部を覆う不透明のカバーシートを備えたものとして実施することもできる。
【発明の効果】
【００１７】
本発明は、袋本体の内部に隠し袋を備える袋の構造によりチャイルドレジスタンス機能を発揮する樹脂袋を提供することができたものである。
【図面の簡単な説明】
【００１８】
【図１】本発明の第１の実施の形態に係るチャイルドレジスタンス樹脂袋を示すもので、（Ａ）は正面図、（Ｂ）は中央縦断面における構造説明図、（Ｃ）は中央横断面における構造説明図である。
【図２】本発明の第１の実施の形態の変形例に係るチャイルドレジスタンス樹脂袋を示すもので、（Ａ）は正面図、（Ｂ）は中央縦断面における構造説明図、（Ｃ）は中央横断面における構造説明図である。
【図３】本発明の第２の実施の形態に係るチャイルドレジスタンス樹脂袋を示すもので、（Ａ）は正面図、（Ｂ）は中央縦断面における構造説明図、（Ｃ）は中央横断面における構造説明図である。
【図４】本発明の第３の実施の形態に係るチャイルドレジスタンス樹脂袋を示すもので、（Ａ）は正面図、（Ｂ）は中央縦断面における構造説明図、（Ｃ）は中央横断面における構造説明図である。
【図５】本発明の第４の実施の形態に係るチャイルドレジスタンス樹脂袋を示すもので、（Ａ）は正面図、（Ｂ）は中央縦断面における構造説明図、（Ｃ）は正面図のＣ−Ｃ断面における構造説明図、（Ｄ）は中央横断面における構造説明図である。
【発明を実施するための形態】
【００１９】
（第１の実施の形態の概要）
図１は本発明の第１の実施の形態に係るチャイルドレジスタンス樹脂袋を示すもので、この実施の形態に係るチャイルドレジスタンス樹脂袋は、袋本体１１の内部に隠し袋２１が配置されている。具体的には、袋本体１１と隠し袋２１を構成する４枚のシートの厚み方向（以下、前後方向と言う場合もある）において、袋本体１１の内部の下側に隠し袋２１が配置された二重袋として実施されている。
【００２０】
袋本体１１は外シート１２（前外シート１３及び後外シート１４）によって構成され、隠し袋２１は内シート２２（前内シート２３及び後内シート２４）によって構成されており、共に横幅が同じの矩形をなす。そしてチャイルドレジスタンスの必要な収納物を、隠し袋２１内の収納部２６（前内シート２３と後内シート２４の間の空間）に収納することにより、子供は袋本体１１内のダミー部１６（後外シート１４と後内シート２４の間の空間）のみが収納部であると誤認したり、収納部２６を開封することが困難であったりすることにより、チャイルドレジスタンス機能を発揮させるものである。
【００２１】
これらの４枚のシートは、左右両側が袋サイドシール３１によって封をされ、底が底シール３２によって封をされることによって、有底の袋となっている。これらのシートは、全て横幅が同一の大きさであり、縦長さだけが異なる（外シート１２よりも内シート２２の方が短い）ものであり、連続生産に適した構成となっている。また、隠し袋２１の３方が袋本体１１と接合されることによって、袋本体１１に対する隠し袋２１の位置が安定する。
袋本体１１はその上端に開口部１５を備え、隠し袋２１はその上端に内部開口２５を備えるものであるが、内シート２２の縦長さが短いため、内部開口２５は袋本体１１の内部に開口している。
【００２２】
なお、以下の説明において、前外シート１３と後外シート１４を区別する必要が無い場合や両シートを総称する場合には、外シート１２と言い、前内シート２３と後内シート２４を区別する必要が無い場合や両シートを総称する場合には、内シート２２と言う。また、上下前後左右は相対的な位置関係を示すに止まり、絶対的な位置を特定するものではない。断面の構造を示す各図においては、シート同士の間を実際よりも大きく描くなど、構造の特徴を示すために実際の寸法比率とは異なる比率で描いている。
【００２３】
（袋体の製造）
シート製の袋を連続生産する場合には、ウェブ状のシートを複数枚重ねてそれらの長手方向に送りながら、所要の箇所をヒートシールや切断することによって生産するのが一般的であるが、上記の構成によってその実施の形態に係る袋体は一般的な連続生産装置を用いて製造することができる。具体的には、ウェブ状の２枚の内シート２２同士を重ね合わせると共にチャック２７を挿入し、内シート２２の前後にウェブ状の２枚の外シート１２（前外シート１３と後外シート１４）をそれぞれ配置して、これらを長手方向に間歇的又は連続的に送りながら袋サイドシール３１と底シール３２を施して１つの袋毎に切断するなどの所要の加工を施すことによって、連続生産を行うことができる。
【００２４】
（外シート１２について）
以下、袋体の各構成についてより詳細に説明する。
まず外シート１２は、この実施の形態に係るチャイルドレジスタンス樹脂袋の外側を構成するシートであり、この実施の形態にあっては、前外シート１３と後外シート１４の同じ大きさ形状の２枚のシートが用いられている。
【００２５】
外シート１２の材質は、柔軟性を有する樹脂シートであることが望ましい。具体的にはポリエチレンやポリプロピレンやポリアミドなどの熱可塑性の合成樹脂製のフィルムから構成される一層の単体または複数層の積層体からなるシートや、必要に応じて金属箔や紙や不織布などの他の材質との複合材料製シートを用いることができる。
【００２６】
この例では、外シート１２は長方形状をなしているが、その形態は適宜に変更することができ、正方形のほか、三角形、五角形などの多角形や、円形や楕円形の他、種々の形状で実施することができる。
【００２７】
（内シート２２について）
内シート２２は、２枚の外シート１２の間に重ねられて配置されるシートであって、隠し袋２１を構成するものである。
この例では、内シート２２は外シート１２と同じ横幅であるが、異なる形状や小さな横幅のものであっても構わない。内シート２２の形態は、外シート１２と同様、適宜に変更することができ、正方形のほか、三角形、五角形などの多角形や、円形や楕円形の他、種々の形状で実施することができるし、例えば外シート１２は長方形であるのに対して、内シート２２を正方形にするなど異なる形状で実施することを妨げるものではない。
【００２８】
内シート２２の材質は、この実施の形態にあっては、外シート１２と同様、柔軟性を有する樹脂シートを用いることができ、ポリエチレンやポリプロピレンやポリアミドなどの熱可塑性の合成樹脂製のフィルムから構成される一層の単体または複数層の積層体からなるシートや、必要に応じて金属箔や紙や不織布などの他の材質との複合材料製シートを用いることができる。なお、内シート２２は外シート１２と同じ材質や層構造であることが望ましいが、異なる材質のものを用いることも可能である。
【００２９】
（袋本体１１について）
袋本体１１は、上述の外シート１２によって構成されたものであり、その左右両側と底部が袋サイドシール３１と底シール３２によって閉じられ、その上部に開口部１５を備える。開口部１５は、開閉手段を備えないものであっても構わないし、合成樹脂製のチャックや粘着剤による開閉手段を備えたものであっても構わない。
【００３０】
（隠し袋２１について）
隠し袋２１は、上述の内シート２２によって構成されたものであり、その左右両側と底部が袋サイドシール３１と底シール３２によって閉じられ、その上部に内部開口２５を備える。内部開口２５は、合成樹脂製のチャック２７や粘着剤による開閉手段を備えたものとして実施することが適当である。チャック２７は凹凸条の嵌合により開閉可能な樹脂製のものを適宜選択して採用することができ、チャックシール３３によって内シート２２にヒートシールされて取り付けられている。
隠し袋２１は、少なくとも内部開口２５を含む位置にて袋本体１１と一体化されているもので、この実施の形態にあっては、前内シート２３の上端辺が一体化シール３４によって前外シート１３にヒートシールされて一体化されている。
【００３１】
（チャイルドレジスタンス機能を高める構成）
本発明は下記のチャイルドレジスタンス機能を高める構成のうち少なくとも一つを備えたものとして実施することが好ましい。
【００３２】
（長短構成）
前内シート２３と後内シート２４との高さは等しいものとして実施することもできるし、両者の高さを異なるものとして実施することもできるが、この実施の形態にあっては、前内シート２３は、後内シート２４に比して一体化シール３４の上下幅だけ高いものとして実施されている。言い換えれば、一方の外シート１２（この例では前外シート１３）と接合一体化される一方の内シート２２（この例では前内シート２３）の上下長さは、外シート１２と接合一体化されない他方の内シート２２（この例では後内シート２４）よりも、一体化シール３４の上下幅だけ、長いものとして実施されている。これによって、一体化シール３４の下端辺に沿って後内シート２４の上端辺が配置されることになる。このように一体化シール３４の下端辺とほぼ同じ位置に後内シート２４の上端辺が配置されることによって、当該部分を指で触ったり開口部１５から覗き込んだりした場合にあっても、後内シート２４の上端辺の存在を気づき難いものとなる。即ち、一体化シール３４をヒートシールによって形成することにより、シートの質感が他の部分と比べて異なったものとなるが、その部分に隣接して後内シート２４の上端辺が配置されることにより、後内シート２４の上端辺が外観上目立たなくなると共に手先の触感にあっても後内シート２４の上端辺が引っかかってしまうことを抑制することができるものである。
【００３３】
（易密着構成）
また、図２に示すように、前内シート２３と後内シート２４の少なくともいずれかの袋内面に易密着領域２８を設けることも好ましい。この易密着領域２８は、後内シート２４における後内シート２４の上端辺を含む領域か、同領域に対向する前内シート２３における領域を少なくとも含むことが好ましく、チャック２７から上方の領域としてもよく、前内シート２３又は後内シート２４の全面としても構わない。易密着領域２８は、シート同士を重ね合わせて指先で軽く押した後にシート同士を引き剥がすために要する力が、外シート１２の袋外面同士を重ね合わせた場合に要する力よりも大きいことを言い、より望ましくは、ダミー部１６側の粘着力（この例では後内シート２４の袋外面と後外シート１４の袋内面とを重ね合わせた場合要する力）よりも大きいものとする。
【００３４】
易密着領域２８は、自己粘着性のある合成樹脂フィルムを袋内面に積層するなどして配置したり、粘着性のある樹脂などを塗布したりすることによって、設けることができ、これによって、後内シート２４の上端辺が前内シート２３から浮き上がってしまうことを抑制することができる。
【００３５】
（隠し袋を低くする構成）
さらに図１の実施の形態にあっては、内シート２２は、その縦長さが外シート１２よりも、５０〜６５ｍｍ短いものが用いられている。これによって、隠し袋２１の内部開口２５は、袋本体１１の内部であって、外シート１２の開口部１５よりも５０〜６５ｍｍ程度下方に配置される。その結果、子供が例えば指だけを開口部１５から袋本体１１内へ挿入しても、内シート２２の上端やチャック２７に直接触れることがなく、子供に隠し袋２１の存在を気づかれてしまうことを抑制することができる。
外シート１２の開口部１５の横幅が５〜１５cmの場合には、開口部１５から覗き込んだ場合にも内部開口２５が見にくいので、子供に見つかりにくい点で有利である。
また、一般に上端辺に沿ってチャックを設けた袋を開封する場合、左右の親指を袋の内側に入れて前後のシートをつまんで引き離すように引っ張ることにより、チャックの凹凸の嵌合を解除することが広く行われているが、チャック２７が５０ｍｍ以上の深い位置にあるとチャックの凹凸の嵌合解除の力をうまく加えることができないため、その開封が困難となり、子供による不用意な開封を抑制することができる。他方、６５ｍｍを超える深さとなると、大人でもチャックの凹凸の嵌合部分にうまく力を加えることが難しくなる場合があるため、隠し袋２１の内部開口２５は、外シート１２の開口部１５よりも５０〜６５ｍｍ程度、下方に配置されることが適当である。
【００３６】
（可視色を同じにする構成）
隠し袋２１の存在を気づくことを抑制する他の手段として、外シート１２と内シート２２の可視色を同じにすることを挙げることができる。より詳しくは、開口部１５を開いた状態で見える隠し袋２１の色（この例では後内シート２４の外面、即ち、後内シート２４におけるチャック２７が取り付けられた面と反対の面の色）と、隠し袋２１が一体化された外シート外シート１２の色（この例では前外シート１３の内面、即ち、前外シート１３における隠し袋２１が取り付けられた面の色）とは、少なくとも内部開口２５の近傍において、同じ可視色とするものである。同じ可視色であるとは、完全に同一の色である場合の他に、ほぼ同じ色と感じられる色を含むものであり、具体的には、マンセル表色系における色相環において色相の差が６０度以内であり且つ明度の差が３以内であること、マンセル表色系における色相の如何にかかわらず共に明度０〜２であること、マンセル表色系における色相の如何にかかわらず共に明度８〜１０であることのうち、少なくともいずれか一つの条件を満たすことを言う。このように実質的に同じ色とすることによって、袋本体１１と隠し袋２１の見分けがつきにくくなり、隠し袋２１の存在を気づくことを抑制することができる。
上述のチャイルドレジスタンス機能を高める構成は、その一つのみを採用することもできるし、２つ以上を併用することも可能である。
【００３７】
（使用方法）
子供による不用意なアクセスを制限したい収納物（例えば、医薬品、たばこ、石けん、マニキュア液、マニキュア除光液、クリーム、ボタン型電池、ナフタリン、樟脳、硬貨、ピアスなどの装飾品、釘や針などの尖ったもの）を、隠し袋２１内の収納部２６（前内シート２３と後内シート２４の間の空間）に収納する。袋本体１１内のダミー部１６（後外シート１４と後内シート２４の間の空間）には何も収納しないか、子供による不用意なアクセスを制限しなくても良いものを収納する。子供はダミー部１６の状態だけをみて、収納部２６やその収納物には気づくことを抑制することができ、子供による誤飲や誤用を抑制することができる。
【００３８】
（第２の実施の形態）
次に第２の実施の形態について図３を参照して説明するが、第１の実施の形態と同一の部分についてはその説明を省略する。第１の実施の形態にあっては、袋本体１１と隠し袋２１とはそれぞれ異なるシートによって構成したが、第２の実施の形態にあっては、隠し袋２１について１枚の外シート（この例では前外シート１３）と１枚の内シート２２とによって構成する。言い換えれば、隠し袋２１は、前内シート２３全体が袋本体１１の前外シート１３と一体化されているものである。この例では、前外シート１３と内シート２２の間の空間が収納部２６となり、内シート２２と後外シート１４の間の空間がダミー部１６となる。
【００３９】
（第３の実施の形態）
次に第３の実施の形態について図４を参照して説明するが、第１の実施の形態と同一の部分についてはその説明を省略する。この第３の実施の形態は第２の実施の形態にも適用することができる。
【００４０】
第１の実施の形態にあっては、隠し袋２１の開封を抑制する手段を上述の通り採用したが、内シート２２の縦長さが外シート１２よりも５０〜６５ｍｍ短いものとした場合には、大人でも隠し袋２１の開封操作が困難になることは否めない。そこで、第３の実施の形態にあっては、外シート１２に挿入部１７を設けている。詳しくは、挿入部１７は隠し袋２１の内部開口２５の近傍にて、外シート１２に設けられたスリットや小穴として実施される。これによって、挿入部１７から袋本体１１に指を挿入して前記内部開口を開く操作を行うことができるようにするもので、望ましくは、外シート１２のうち隠し袋２１が一体化されたシートである前外シート１３において、挿入した指でチャック２７を摘まむことができる位置に設ける。但し、後外シート１４に設けて実施することを妨げるものではないし、双方に設けても構わない。
【００４１】
（第４の実施の形態）
次に第４の実施の形態について図５を参照して説明するが、これは第３の実施の形態の課題を解決せんとするものであり、第３の実施の形態と同一の部分についてはその説明を省略する。第３の実施の形態は開封操作を容易にするために挿入部１７を設けたものであるが、挿入部１７を設けることによってチャイルドレジスタンス機能が低下する恐れもある。そこでこの実施の形態にあっては、袋本体１１の外側に挿入部１７を覆う不透明のカバーシート１８を配置する。カバーシート１８の横幅は他のシートと同じもので、袋サイドシール３１などによって他のシートに接合される。カバーシート１８の上辺と下辺のいずれか一方は外シート１２に対して接合されておらず、カバーシート１８と外シート１２の間から指を挿入し、さらに挿入部１７を経て、挿入した指でチャック２７を摘まむことができるようにしたものである。これによって袋の外観では挿入部１７が直接見えなくなるため、チャイルドレジスタンス機能の低下を抑制することができる。
【符号の説明】
【００４２】
１１  袋本体
１２  外シート
１３  前外シート
１４  後外シート
１５  開口部
１６  ダミー部
１７  挿入部
１８  カバーシート
２１  袋
２２  内シート
２３  前内シート
２４  後内シート
２５  内部開口
２６  収納部
２７  チャック
２８  易密着領域
３１  袋サイドシール
３２  底シール
３３  チャックシール
【図１】
2019048650.tif 000003
【図２】
2019048650.tif 000004
【図３】
2019048650.tif 000005
【図４】
2019048650.tif 000006
【図５】
2019048650.tif 000007